(57)【要約】【課題】電池の端子からの緩みを防止できる電池接続部材及び電池モジュールを提供する。【解決手段】電池接続部材１０及び電池モジュール２００は、電池２０２，２０３同士の端子２１０，２１４間を接続する電池接続部材１０であって、端子２１０，２１４を挟持する端子挟持部１２と、端子２１０，２１４間に接続された状態で電池２０１，２０３同士の間に設けられ、端子挟持部１２を挟持する方向に締め付ける締付手段１３と、を備える。【選択図】図１
2013178965.tif 000002
【特許請求の範囲】
【請求項１】
電池同士の端子間を接続する電池接続部材であって、
前記端子を挟持する端子挟持部と、
前記端子間に接続された状態で前記電池同士の間に設けられ、前記端子挟持部を挟持する方向に締め付ける締付手段と、を備える電池接続部材。
【請求項２】
両端部に、前記端子挟持部を有する本体を備え、
前記本体が、前記端子挟持部より厚みが大とされるとともに、前記締付手段が、前記本体に設けられた螺合緊締手段である請求項１に記載の電池接続部材。
【請求項３】
前記本体が、前記端子挟持部に有する端子固定孔に連通して変形する変形部を備えている請求項２に記載の電池接続部材。
【請求項４】
前記端子挟持部に、前記端子固定孔の広がりを規制するカバーを装着している請求項３に記載の電池接続部材。
【請求項５】
進退移動により前記端子挟持部に端子固定孔を形成する端子固定孔形成手段を備えている請求項１に記載の電池接続部材。
【請求項６】
前記締付手段が、磁気吸着手段である請求項１に記載の電池接続部材。
【請求項７】
請求項１ないし請求項６のうちのいずれか１項に記載の電池接続部材を具備する電池モジュール。
【発明の詳細な説明】
【技術分野】
【０００１】
本発明は、例えばリチウム二次電池同士の端子間を接続する電池接続部材及び電池モジュールに関する。
【背景技術】
【０００２】
電池接続部材及び電池モジュールの一例が特許文献１に記載されている。
特許文献１の電池接続部材及び電池モジュールは、板状の本体と、本体の面内に厚み方向に貫通し、各端子に対応して設けられた接触部と、を備えている。
特許文献１の電池接続部材及び電池モジュールは、接触部の面内形状が、その周縁部を各端子の横断面形状の少なくとも一部に沿う形状に形成している。
これらの電池接続部材及び電池モジュールは、取り付けにあたり、接触部の内側に各端子が位置するように上から電池接続部材を設置し、締付ボルトをねじ孔に螺合させていく。
また、これらの電池接続部材及び電池モジュールは、締付ボルトの螺合により、スリットを小さくするように変形していき、接触面を各端子の外周面に強く押し付けて、電池接続部材が各端子に対して強固に密着する。
【先行技術文献】
【特許文献】
【０００３】
【特許文献１】特開２００９−２７７３９３号公報
【発明の概要】
【発明が解決しようとする課題】
【０００４】
一般的に、リチウム二次電池や燃料電池を各種用途に適用する際、それら電池の信頼性と安全性の確保が必要である。
それは、特に移動体への適用や移動用途によっては、単電池間を接続している金属製の電池接続部材が振動で緩む等の不具合を生ずることがあるからである。
そのため、振動等により電池接続部材が端子に対して緩まないようにするための対策が必要である。
しかし、特許文献１の電池接続部材及び電池モジュールは、締付ボルトの螺合位置を各端子の外側に配置しており、電池接続部材を緩め止める手段を有さないために、電池接続部材が各端子に対して緩むことがありうる。
【０００５】
本発明は、前述した課題を解決するためになされたものであり、その目的は、電池の端子からの緩みを防止できる電池接続部材及び電池モジュールを提供することにある。
【課題を解決するための手段】
【０００６】
本発明に係る電池接続部材は、電池同士の端子間を接続する電池接続部材であって、前記端子を挟持する端子挟持部と、前記端子間に接続された状態で前記電池同士の間に設けられ、前記端子挟持部を挟持する方向に締め付ける締付手段と、を備える。
【０００７】
このような構成によれば、締付ボルトの螺合位置を各端子の外側に配置した場合と比べて、大きなトルクを作用できる締付手段を適用できる。
従って、電池の端子に確実に締結して端子からの緩みを防止できる。
【０００８】
本発明に係る電池接続部材は、両端部に、前記端子挟持部を有する本体を備え、前記本体が、前記端子挟持部より厚みが大とされるとともに、前記締付手段が、前記本体に設けられた螺合緊締手段である。
【０００９】
このような構成によれば、大きなボリュームの本体を有することにより、電池の端子間に大容量の通電回路を形成でき、本体の螺合緊締手段により端子挟持部を挟持する方向にねじ止めできる。
【００１０】
本発明に係る電池接続部材は、前記本体が、前記端子挟持部に有する端子固定孔に連通して変形する変形部を備えている。
【００１１】
このような構成によれば、締付手段のねじ込みにより変形部が変形していき、端子挟持部の端子固定孔を電池の端子に面接触により電気的に接続できる。
【００１２】
本発明に係る電池接続部材は、前記端子挟持部に、前記端子固定孔の広がりを規制するカバーを装着している。
【００１３】
このような構成によれば、カバーにより端子固定孔の広がりを規制できるので、端子からの緩みを防止できる。
【００１４】
本発明に係る電池接続部材は、進退移動により前記端子挟持部に端子固定孔を形成する端子固定孔形成手段を備えている。
【００１５】
このような構成によれば、端子固定孔形成手段の移動により端子挟持部の端子固定孔に挿入した電池の端子を押圧保持できるので、端子からの緩みを防止できる。
【００１６】
本発明に係る電池接続部材は、前記締付手段が、磁気吸着手段である。
【００１７】
このような構成によれば、磁気吸着手段の励磁により生ずる磁力により、端子挟持部の端子固定孔に挿入した電池の端子を押圧保持できるので、端子からの緩みを防止できる。
【００１８】
本発明に係る電池モジュールは、電池接続部材を具備する。
【００１９】
このような構成によれば、電池の端子に確実に締結して端子からの緩みを防止できる電池接続部材により品質の向上を図ることができる。
【発明の効果】
【００２０】
本発明に係る電池接続部材及び電池モジュールによれば、電池の端子からの緩みを防止できるという効果を奏する。
【図面の簡単な説明】
【００２１】
【図１】本発明に係る第１実施形態の電池モジュールの斜め上方から視た外観斜視図である。
【図２】本発明に係る第１実施形態の電池接続部材の締め付け前の斜め上方から視た外観斜視図である。
【図３】本発明に係る第１実施形態の電池接続部材の締め付け後の斜め上方から視た外観斜視図である。
【図４】本発明に係る第１実施形態の電池接続部材の変形例の締め付け後の斜め上方から視た外観斜視図である。
【図５】本発明に係る第１実施形態の電池接続部材の他の変形例の斜め上方から視た外観斜視図である。
【図６】図５に示した電池接続部材の長手方向から視た要部縦断面図である。
【図７】図５に示した電池接続部材の短手方向から視た要部縦断面図である。
【図８】本発明に係る第２実施形態の電池接続部材の締め付け前の平面図である。
【図９】本発明に係る第２実施形態の電池接続部材の締め付け後の平面図である。
【図１０】本発明とは異なる発明の第１例として示した電池接続部材の締め付け前の要部側面図である。
【図１１】図１０に示した電池接続部材の締め付け後の要部側面図である。
【図１２】図１０に示した電池接続部材を装備する電池モジュールの回路構成図である。
【図１３】図１０に示した電池接続部材を装備する電池モジュールの第１例の変形例の回路構成図である。
【図１４】本発明とは異なる発明の第２例として示した電池接続部材の締め付け前の側面図である。
【図１５】本発明とは異なる発明の第２例として示した電池接続部材の締め付け後の側面図である。
【図１６】本発明とは異なる発明の第３例として示した電池接続部材の正面図である。
【図１７】本発明とは異なる発明の第４例として示した電池接続部材の要部平面図である。
【図１８】図１７に示した電池接続部材の長手方向から視た要部縦断面図である。
【図１９】本発明に係る第３実施形態の電池接続部材の平面図である。
【図２０】図１９に示した電池接続部材の側面図である。
【図２１】図１９に示した電池接続部材の締め付け手段の一例の平面図である。
【図２２】図１９に示した電池接続部材の締め付け手段の他例の平面図である。
【図２３】図１９に示した電池接続部材の締め付け手段の他例の平面図である。
【発明を実施するための形態】
【００２２】
以下、本発明に係る複数の実施形態の電池接続部材及び電池モジュールについて図面を参照して説明する。
（第１実施形態）
図１に示すように、本発明に係る第１実施形態の電池接続部材１０を装備する電池モジュール２００は、４個のリチウム二次電池２０１，２０２，２０３，２０４を一列に収納するために上部が開口した略直方体形状のケース２０５を備えている。
ケース２０５は、上部に不図示の蓋を固定する。
【００２３】
リチウム二次電池２０１は、電池容器２０６を有し、正極端子２０７および負極端子２０８を有する。リチウム二次電池２０２は、電池容器２０９を有し、正極端子２１０および負極端子２１１を有する。
リチウム二次電池２０３は、電池容器２１２を有し、正極端子２１３および負極端子２１４を有する。リチウム二次電池２０４は、電池容器２１５を有し、正極端子２１６および負極端子２１７を有する。
【００２４】
各電池容器２０６，２０９，２１２，２１５および蓋は、例えば、ステンレス等の鋼材やアルミ系材料等を用いて形成されている。
各電池容器２０６，２０９，２１２，２１５の内面は、非水電解液と直接接していても構わないが、変性ポリオレフィン等の絶縁物で被覆されたものを用いることもできる。
各電池容器２０６，２０９，２１２，２１５の内部には、リチウムイオンを含む非水電解液と、正極集電体と、負極集電体とを収納している。
【００２５】
正極端子２０７，２１０，２１３，２１６は、例えば、アルミニウム材料で形成されており、それらの外側端部の表面には、接触抵抗を下げるために、例えば、ニッケルめっきを施すようにしてもよい。
負極端子２０８，２１１、２１４，２１７は、例えば、銅材料で形成されている。
【００２６】
電池モジュール２００は、リチウム二次電池２０１の正極端子２０７とリチウム二次電池２０２の負極端子２１１とを直列に接続し、リチウム二次電池２０２の正極端子２１０とリチウム二次電池２０３の負極端子２１４とを直列に接続する。
電池モジュール２００は、リチウム二次電池２０３の正極端子２１３とリチウム二次電池２０４の負極端子２１７とを直列に接続する。
これにより、電池モジュール２００は、リチウム二次電池２０１の負極端子２０８と、リチウム二次電池２０４の正極端子２１６とを外部接続端子として、４個のリチウム二次電池２０１，２０２，２０３，２０４の直列回路を形成している。
【００２７】
そして、電池モジュール２００は、各リチウム二次電池２０１，２０１，２０３，２０４の接続にバスバーである３個の電池接続部材１０を適用する。
なお、３個の電池接続部材１０は、いずれも同一構造であるために、以下の説明では、リチウム二次電池２０２の正極端子２１０とリチウム二次電池２０３の負極端子２１４とを電気的に接続する電池接続部材１０のみを図示することとする。
【００２８】
図２に示すように、電池接続部材１０は、導電部材である、例えば銅材料を用いて成形されており、本体１１と、端子挟持部１２と、締付手段であって螺合緊締手段の一部を構成するねじ１３と、から構成され、各リチウム二次電池２０２，２０３同士の間に組付けられる。
本体１１は、ねじ１３をねじ込む以前に、それぞれの内側に空間状の締め込み代となるスリット状の空隙部１４を形成した変形部１５を有する。
変形部１５は、端子挟持部１２側の両端部に、締付手段であって螺合緊締手段の他の一部を構成する一対のねじ挿通孔１６Ａと、同じく締付手段であって螺合緊締手段の残りの一部を構成する一対のねじ込み孔１６Ｂと、をそれぞれ有する。
端子挟持部１２は、各端子２１０，２１４の外径寸法よりも大きい内径寸法を有してＣ字形状に形成した端子固定孔１７を有し、これら端子固定孔１７は、本体１１の空隙部１４に連通接続している。
【００２９】
図３に示すように、電池接続部材１０は、取り付けに当たり、端子挟持部１２の一方の端子固定孔１７をリチウム二次電池２０２の正極端子２１０に挿通し、端子挟持部１２の他方の端子固定孔１７をリチウム二次電池２０３の負極端子２１４に挿通する。
このとき、電池接続部材１０の端子固定孔１７は、各端子２１０，２１４に挿通しただけであり、何らの電気的な接続も行わない。
【００３０】
次に、変形部１５の各ねじ挿通孔１６Ａにねじ１３を挿入して、各ねじ込み孔１６Ｂにねじ１３をねじ込んでいく。
ねじ１３のねじ込みが進むにつれて、変形部１５の空隙部１４が小さく変形していき、同時に、端子挟持部１２の端子固定孔１７が内径寸法を小さくするように変形する。
これにより、端子挟持部１２の端子固定孔１７が各リチウム二次電池２０２，２０３の各端子２１０，２１４に面接触により電気的に接続する。
【００３１】
このとき、電池接続部材１０は、リチウム二次電池２０２とリチウム二次電池２０３との間に形成する空間部(図１参照)２１８に本体１１を配置する。
そのため、電池接続部材１０は、本体１１の厚み寸法Ｔ１を、端子挟持部１２の厚み寸法Ｔ２よりも大きくして大きなボリュームにできる。
従って、締付ボルトの螺合位置を各端子の外側に配置した場合と比べて、大きなトルクを作用できるねじ１３を適用できるので、電池接続部材１０を各端子２１０，２１４に確実に締結できる。
また、電池接続部材１０は、大きなボリュームの本体１１により、各端子２１０，２１４間に大容量の通電回路を形成できる。
【００３２】
以上、説明したように、本発明の第１実施形態の電池接続部材１０によれば、締付ボルトの螺合位置を各端子の外側に配置した場合と比べて、大きなトルクを作用できるねじ１３を適用できる。
従って、電池接続部材１０によれば、各端子２１０，２１４からの緩みを防止でき、各端子２１０，２１４に確実に締結できる。
【００３３】
また、電池接続部材１０によれば、大きなボリュームの本体１１により、各端子２１０，２１４間に大容量の通電回路を形成でき、本体１１においてねじ１３をねじ挿通孔１６Ａからねじ込み孔１６Ｂにねじ込むことにより端子挟持部１２を挟持する方向にねじ止めできる。
【００３４】
そして、電池モジュール２００によれば、端子２１０，２１４に確実に締結して端子２１０，２１４からの緩みを防止できる電池接続部材１０により品質の向上を図ることができる。
【００３５】
次に、第１実施形態の電池接続部材の変形例について説明する。
図４に示すように、本変形例の電池接続部材２０は、本体２１からＪ字形状に突出した端子挟持部２２を有し、端子挟持部２２と本体２１との間に締め込み代となる空隙部２３を形成している。
電池接続部材２０は、本体２１に、一対のねじ挿通孔１６Ａと、一対のねじ込み孔１６Ｂと、をそれぞれ有する。
端子挟持部２２は、ねじ挿通孔１６Ａにねじ１３を挿入して、ねじ込み孔１６Ｂにねじ１３をねじ込んでいくことにより、空隙部２３が小さく変形していき、同時に、端子固定孔１７が内径寸法を小さくするように変形する。
これにより、端子挟持部２２の端子固定孔１７が各リチウム二次電池２０２，２０３の各端子２１０，２１４に面接触により電気的に接続する。
【００３６】
本変形例の電池接続部材２０によれば、ねじ挿通孔１６Ａを通じたねじ込み孔１６Ｂへのねじ１３のねじ込みに伴い、Ｊ字形状に突出した端子挟持部２２が変形して、各リチウム二次電池２０２，２０３の各端子２１０，２１４に電気的に接続する。
従って、電池接続部材２０によれば、高い剛性を有する本体２１を得ることができ、各端子２１０，２１４に強固に固定できる。
【００３７】
次に、第１実施形態の電池接続部材の他の変形例について説明する。
図５に示すように、本変形例の電池接続部材３０は、本体３１の端部に端子挟持部３２を有し、端子挟持部３２に端子固定孔１７の広がりを規制するためのカバー３３を取り付けている。
図６に示すように、カバー３３は、天板３４の端子固定孔１７に対応した位置に端子孔３５を有し、天板３４の長手方向の端部に、下方に向けて垂下した端板３６を接続している。
図７に示すように、カバー３３は、天板３４の短手方向の両端部に、下方に向けて垂下した一対の挟持部押え板３７を接続している。
【００３８】
電池接続部材３０は、端子挟持部２２の端子固定孔１７が各リチウム二次電池２０２，２０３の各端子２１０，２１４に電気的に接続した後に、カバー３３を端子挟持部３２に被着する。
そのため、カバー３３の挟持部押え板３７により端子挟持部２２の端子固定孔１７の広がりを阻止することにより、リチウム二次電池２０２，２０３の各端子２１０，２１４に対する緩みを抑制できる。
【００３９】
本変形例の電池接続部材３０によれば、カバー３３の挟持部押え板３７により端子挟持部２２の端子固定孔１７の広がりを阻止する。
従って、電池接続部材３０によれば、各リチウム二次電池２０２，２０３の各端子２１０，２１４に対する緩みを抑制できる。
【００４０】
（第２実施形態）
次に、本発明に係る第２実施形態の電池接続部材について説明する。
なお、以下の各実施形態において、前述した第１実施形態と重複する構成要素や機能的に同様な構成要素については、図中に同一符号あるいは相当符号を付することによって説明を簡略化あるいは省略する。
【００４１】
図８に示すように、本発明に係る第２実施形態の電池接続部材４０は、本体４１の両端部に端子挟持部４２を接続しており、端子挟持部４２が、コ字形状に形成した端子固定孔４３を有する。
電池接続部材４０は、端子固定孔４３に対して進退移動することにより、端子固定孔４３のコ字形状と協働して四角形の端子固定孔形状を形成する端子固定孔形成手段の一方を構成するとともに締付手段であって螺合緊締手段の一部を構成する一対のロッド４４を備えている。
電池接続部材４０は、ロッド４４を進退移動するものであって端子固定孔形成手段の他方を構成するとともに締付手段であって螺合緊締手段の他の一部を構成するナット部材４５を備えている。ロッド４４とナット部材４５とはボールねじ機構など回転を進退移動に変換する機構を構成する。
【００４２】
図９に示すように、電池接続部材４０は、取り付けにあたり、各端子固定孔４３をリチウム二次電池２０２，２０３の矩形の各端子２１０，２１４に挿通し、ナット部材４５をねじ込んでいく。
ナット部材４５のねじ込みに伴い、ロッド４４がそれぞれ離れる方向に進行していくために、端子挟持部４２のロッド４４が各リチウム二次電池２０２，２０３の各端子２１０，２１４に面接触により電気的に接続することになる。
なお、端子固定孔４３の形状およびロッド４４の先端部の形状は、リチウム二次電池２０２，２０３の各端子２１０，２１４に対応したものであれば、図示した四角形に代えて、円弧形状であってもよい。
【００４３】
第２実施形態の電池接続部材４０によれば、ナット部材４５のねじ込みに伴い、ロッド４４を進行して、ロッド４４が各リチウム二次電池２０２，２０３の各端子２１０，２１４に面接触で押圧接続できる。
従って、電池接続部材４０によれば、リチウム二次電池２０２，２０３の各端子２１０，２１４に対する緩みを抑制できる。
【００４４】
次に、本発明とは異なる発明の第１例としての電池接続部材及び電池モジュールについて説明する。
図１０に示すように、第１例としての電池接続部材５０は、端子固定孔１７を磁気的に閉成する構造を有する。
電池接続部材５０は、蝶番部材５２を介して受側挟持部５３に対して開閉し、締付手段であって磁気吸着手段の一方を構成し、磁性材料からなる被吸着部５４を有する端子挟持部５１を備えている。
【００４５】
図１１に示すように、受側挟持部５３は、その先端部に、締付手段であって磁気吸着手段の他方を構成し、通電により磁力を発生する電磁石からなる吸着部５５を設けている。
受側挟持部５３は、通電により吸着部５５が励磁することにより、被吸着部５４を磁気的に吸着して端子固定孔１７を閉成する。
これに反して、受側挟持部５３は、吸着部５５への通電を遮断すると、被吸着部５４を磁気的に吸着しなくなって端子固定孔１７を開成する。
【００４６】
次に、第１例としての電池モジュール３００について説明する。
図１２に示すように、電池モジュール３００は、電磁石制御回路３０１と、モータ等の電力負荷３０２に接続したメインスイッチ３０３と、を備えている。
電磁石制御回路３０１は、Ａ／Ｄコンバータ３０４と、コントロールユニット３０５と、任意の二次電池であり、コントロールユニット３０５に給電する回路電源３０６と、リレースイッチ３０７と、を備えている。
【００４７】
メインスイッチ３０３は、可動接点３０８を電力負荷３０２に接続し、メインスイッチ３０３に連動する内蔵スイッチ３０９を通じて常開固定接点３１０を一方のリチウム二次電池３１１の正極端子３１２に接続している。
Ａ／Ｄコンバータ３０４は、一方のリチウム二次電池３１１の負極端子３１３と、他方のリチウム二次電池３１４の正極端子３１５と、コントロールユニット３０５と、に接続している。
【００４８】
他方のリチウム二次電池３１４は、メインスイッチ３０３に連動する内蔵スイッチ３１６を有し、負極端子３１７を接地している。
コントロールユニット３０５は、Ａ／Ｄコンバータ３０４と、電池接続部材５０の吸着部５５の正極端子５６と、回路電源３０６と、に接続している。
リレースイッチ３０７は、抵抗３１８が他方のリチウム二次電池３１４の正極端子３１５と、ダイオード３１９を並列に接続して他端を接地した励磁コイル３２０とに接続している。
リレースイッチ３０７は、可動接点３２１を電池接続部材５０の吸着部５５の負極端子５７に接続し、常開固定接点３２２を回路電源３０６に接続している。
【００４９】
電磁石制御回路３０１は、メインスイッチ３０３がオンする通常状態において、可動接点３０８が常開固定接点３１０に接続し、オン状態にある内蔵スイッチ３０９，３１６を通じて電流を供給する。
これにより、Ａ／Ｄコンバータ３０４に所定の電位を与えることにより、コントロールユニット３０５から吸着部５５の正極端子５６に電流を供給する。
このとき、リレースイッチ３０７の励磁コイル３２０に通電することにより、可動接点３２１が常開固定接点３２２に接続して吸着部５５の負極端子５７に接地回路を形成する。
そのため、電池接続部材５０の受側挟持部５３が被吸着部５４を磁気的に吸着して端子固定孔１７を閉成する。
【００５０】
電磁石制御回路３０１は、メインスイッチ３０３がオフした際に、可動接点３０８が常開固定接点３１０から遮断するために、Ａ／Ｄコンバータ３０４への電流供給が遮断され、コントロールユニット３０５から吸着部５５の正極端子５６への電流供給が遮断する。
このとき、リレースイッチ３０７の励磁コイル３２０への通電も遮断することにより、可動接点３２１が常開固定接点３２２から遮断する。
そのため、電池接続部材５０の被吸着部５４が受側挟持部５３から離間して端子固定孔１７を開成する。
【００５１】
電池接続部材５０によれば、通電により吸着部５５が励磁することにより受側挟持部５３が被吸着部５４を磁気的に吸着して端子固定孔１７を閉成し、吸着部５５への通電を遮断することにより端子固定孔１７を開成する。
従って、電池接続部材５０によれば、端子固定孔１７の開閉を電気的に行うことができ、端子固定孔１７の閉成時に、端子固定孔１７の緩みを確実に防止できる。
【００５２】
そして、電池モジュール３００によれば、各端子３１３，３１５に確実に締結して各端子３１３，３１５からの緩みを防止できる電池接続部材５０により品質の向上を図ることができる。
【００５３】
次に、第１例の変形例である電池モジュールについて説明する。
図１３に示すように、第１例の変形例としての電池モジュール４００は、直列に接続されたリチウム二次電池４５０およびリチウム二次電池４６０と、同じく直列に接続されたリチウム二次電池４７０およびリチウム二次電池４８０と、を並列に接続している。
リチウム二次電池４５０は、内蔵スイッチ４５１を有し、正極端子４５２および負極端子４５３を有する。リチウム二次電池４６０は、内蔵スイッチ４６１を有し、正極端子４６２および負極端子４６３を有する。
リチウム二次電池４７０は、内蔵スイッチ４７１を有し、正極端子４７２および負極端子４７３を有する。リチウム二次電池４８０は、内蔵スイッチ４８１を有し、正極端子４８２および負極端子４８３を有する。
電池モジュール４００は、並列の一対の電磁石制御回路４０１を備えており、負荷スイッチ５０４と、コントロールユニット５０５と、回路電源５０６と、リレースイッチ５０７とを有する負荷スイッチ５０１を備えている。
リレースイッチ５０７は、抵抗５１８と、励磁コイル５２０と、可動接点５２１と、常開固定接点５２２と、を有する。
電池モジュール４００は、モータ等の電力負荷４０２に接続したメインスイッチ４０３を備えている。
【００５４】
各電磁石制御回路４０１は、メインスイッチ４０３がオンする通常状態において、可動接点４０８が常開固定接点４１０に接続し、オン状態にある内蔵スイッチ４５１，４６１，４７１，４８１を通じて電流を供給する。
これにより、各Ａ／Ｄコンバータ４０４に所定の電位を与えることにより、コントロールユニット４０５から吸着部５５の正極端子５６に電流を供給する。
このとき、リレースイッチ４０７の励磁コイル４２０に通電することにより、可動接点４２１が常開固定接点４２２に接続して吸着部５５の負極端子５７に接地回路を形成する。
そのため、電池接続部材５０の受側挟持部５３が被吸着部５４を磁気的に吸着して端子固定孔１７を閉成する。
【００５５】
電磁石制御回路４０１は、メインスイッチ４０３がオフした際に、可動接点４０８が常開固定接点４１０から遮断するために、Ａ／Ｄコンバータ４０４への電流供給が遮断され、コントロールユニット４０５から吸着部５５の正極端子５６への電流供給が遮断する。
そのため、電池接続部材５０の被吸着部５４が受側挟持部５３から離間して端子固定孔１７を開成する。
【００５６】
電池モジュール４００は、各リチウム二次電池４５０，４６０，４７０，４８０の並列部に、リレースイッチ５０７を設けており、負荷に応じてオン／オフすることにより、各リチウム二次電池４５０，４６０，４７０，４８０の個数に対応している。
電池モジュール４００は、電位差を検出だけでなく、電流を検出することにより、負荷に接続されているか否かを検出して、各リチウム二次電池４５０，４６０，４７０，４８０に接続する電池接続部材５０を吸着部５５により固定することができる。
【００５７】
電池モジュール４００によれば、各端子４５３，４６２，４７３，４８２に確実に締結して各端子４５３，４６２，４７３，４８２からの緩みを防止できる電池接続部材５０により品質の向上を図ることができる。
【００５８】
次に、本発明とは異なる発明の第２例である電池接続部材について説明する。
図１４に示すように、第２例としての電池接続部材６０は、上部電池接続部６１と下部電池接続部６２とを二分割して形成している。
上部電池接続部６１は、上部本体６３の一端部に、磁性材料からなり磁気吸着手段の一部を構成する被吸着部である第１上部端子挟持部６４を有し、上部本体６３の他端部に、磁気吸着手段の他の一部を構成し、通電により磁気を発生する電磁石からなる吸着部６６を設けた第２上部端子挟持部６５を有する。
下部電池接続部６２は、下部本体６７の一端部に、磁気吸着手段の他の一部を構成し、通電により第１上部端子挟持部６４を吸着する電磁石からなる吸着部６９を設けた第１下上部端子挟持部６８を有し、下部本体６７の他端部に、磁性材料からなり磁気吸着手段の他の一部を構成する被吸着部である第２下部端子挟持部７０を有する。
【００５９】
図１５に示すように、吸着部６９に通電する通常使用時に、上部電池接続部６１の第１上部端子挟持部６４が下部電池接続部６２の第１下部端子挟持部６８の吸着部６９に磁気的に吸着して端子固定孔１７を押圧閉成する。
同時に、吸着部６６に通電する通常使用時に、上部電池接続部６１の第２上部端子挟持部６５の吸着部６６が下部電池接続部６２の第２下部端子挟持部７０を磁気的に吸着して端子固定孔１７を押圧閉成する。
【００６０】
ここで、図１６に示すように、上部電池接続部６１の第１上部端子挟持部６４に鉤状の係合部７１を形成し、これに対向する下部電池接続部６２の第１下部端子挟持部６８の吸着部６９に、係合部７１に係合する係合部受７２を形成することもできる。
このとき、第２上部端子挟持部６５の吸着部６６および第２下部端子挟持部７０にも、同様に係合部および係合部受を形成するのが好ましい。
このようにすることにより、各吸着部６６，６９への通電を解除しても、第１上部端子挟持部６４と第１下部端子挟持部６８および第２上部端子挟持部６５と第２下部端子挟持部７０との係合状態を維持することができる。
【００６１】
電池接続部材６０によれば、通電により吸着部６６，６９が励磁することにより上部電池接続部６１が下部電池接続部６２に吸着して端子固定孔１７を押圧閉成し、これとは異なり、吸着部６６，６９への通電を遮断することにより端子固定孔１７を開成する。
従って、電池接続部材６０によれば、端子固定孔１７の開閉を電気的に行うことができ、端子固定孔１７の閉成時に、端子固定孔１７の緩みを確実に防止できる。
【００６２】
また、電池接続部材６０によれば、上部電池接続部６１の第１上部端子挟持部６４の係合部７１が下部電池接続部６２の第１下部端子挟持部６８の係合部受７２に係合する。
従って、電池接続部材６０によれば、通電が解除された際に、上部電池接続部６１と下部電池接続部６２との係合状態を維持できる。
なお、前述した図１〜図３に示す本発明に係る第１実施形態についても、本体１１の厚みを適切に設定することにより、締付手段を図１０，図１１に示すような磁気吸着手段５４，５５，６４，６６，６９，７０としてもよい。
【００６３】
次に、本発明とは異なる発明の第３例としての電池接続部材について説明する。
図１７に示すように、第３例としての電池接続部材８０は、端子挟持部８１の端子固定孔８２の外方にねじ１３を配置しており、この端子挟持部８１に端子固定孔８２の広がりを規制するためのカバー８３を取り付けている。
カバー８３は、天板８４の端子固定孔８２に対応した位置に端子孔８５を有し、天板８４の短手方向の両端部に、下方に向けて垂下した挟持部押え板８６を接続している。
【００６４】
図１８に示すように、カバー８３は、天板８４の長手方向の端部に、下方に向けて断面視Ｌ字状に垂下して端子挟持部８１の端面および下面を支持する端板８７を接続している。
電池接続部材８０は、端子挟持部８１の端子固定孔８２が各リチウム二次電池２０２，２０３の各端子２１０，２１４に電気的に接続した後に、カバー８３を端子挟持部８１に被着する。
そのため、カバー８３の挟持部押え板８６により端子挟持部８１の端子固定孔８２の広がりを阻止することにより、各リチウム二次電池２０２，２０３の各端子２１０，２１４に対する緩みを抑制できる。
【００６５】
電池接続部材８０によれば、カバー８３の挟持部押え板８６により端子挟持部８１の端子固定孔８２の広がりを規制する。
従って、電池接続部材８０によれば、各リチウム二次電池２０２，２０３の各端子２１０，２１４に対する緩みを防止できる。
【００６６】
（第３実施形態）
次に、本発明に係る第３実施形態の電池接続部材について説明する。
図１９に示すように、本発明に係る第３実施形態の電池接続部材９０は、板ばね材料を用いて両端部に形成した一対の端子挟持部（端子固定孔）９１と、中央部に形成した締付手段である拡張部９２とを無端状に備えている。
【００６７】
図２０に示すように、端子挟持部９１は、拡張部９２が変形しない状態において、各リチウム二次電池２０２，２０３の各端子２１０，２１４の外径寸法よりもわずかに大きい内径寸法を形成する。
【００６８】
図２１に示すように、拡張部９２は、その内側に拡張手段である予圧縮ばね９３を具備している。
予圧縮ばね９３は、端子挟持部９１を各リチウム二次電池２０２，２０３の各端子２１０，２１４に外挿した後に、拡張部９２を広げるように作用する。
予圧縮ばね９３が拡張部９２を広げるように作用することにより、端子挟持部９１が内径寸法を小さくするように変形して各リチウム二次電池２０２，２０３の各端子２１０，２１４に対して押圧接続できる。
【００６９】
次に、拡張部９２を広げるための拡張手段の他例について説明する。
図２２に示すように、この場合、拡張部９２の内側に装着する拡張棒９４を具備している。
拡張棒９４は、端子挟持部９１を各リチウム二次電池２０２，２０３の各端子２１０，２１４に外挿した後に、拡張部９２に装着する。
拡張棒９４が装着することにより拡張部９２を広げ、それにより、端子挟持部９１が内径寸法を小さくするように変形して各リチウム二次電池２０２，２０３の各端子２１０，２１４を強固に締め付ける。
【００７０】
続いて、拡張部９２を広げるための拡張手段の他例について説明する。
図２３に示すように、この場合、拡張部９２の外側に非接触に配置する一対の吸着部９５を具備している。
吸着部９５には、端子挟持部９１を各リチウム二次電池２０２，２０３の各端子２１０，２１４に外挿した後に、電流を供給する。
吸着部９５は、電流の供給により拡張部９２を広げ、それにより、端子挟持部９１が内径寸法を小さくするように変形して各リチウム二次電池２０２，２０３の各端子２１０，２１４を強固に締め付ける。
【００７１】
第３実施形態の電池接続部材９０によれば、各リチウム二次電池２０２，２０３の各端子２１０，２１４に外挿した端子挟持部９１を、拡張手段９３，９４，９５により、内径寸法を小さくするように変形する。
従って、電池接続部材９０によれば、拡張手段９３，９４，９５により、端子挟持部９１が内径寸法を小さくするように変形して各リチウム二次電池２０２，２０３の各端子２１０，２１４に対して緩むことなく強固に締め付けできる。
【００７２】
なお、本発明の電池接続部材及び電池モジュールは、前述した各実施形態に限定するものでなく、適宜な変形や改良等が可能である。
【符号の説明】
【００７３】
１０，２０，３０，４０，９０  電池接続部材
１１，２１，３１，４１  本体
１２，２２，３２，４２，９１  端子挟持部
１３  ねじ（締付手段）（螺合緊締手段）
１５  変形部
１６Ａ，２４Ａ  ねじ挿通孔（締付手段）（螺合緊締手段）
１６Ｂ，２４Ｂ  ねじ込み孔（締付手段）（螺合緊締手段）
１７，４３  端子固定孔
３３，  カバー
４４  ロッド（端子固定孔形成手段）（締付手段）（螺合緊締手段）
４５  ナット部材（端子固定孔形成手段）（締付手段）（螺合緊締手段）
９２  拡張部（締付手段）
２００，３００，４００  電池モジュール
２０２，２０３，３１１，３１４，４５０，４６０，４７０，４８０  リチウム二次電池（電池）
２１０，３１２，３１５，４５２，４６２，４７２，４８２  正極端子(端子)
２１４，３１３，３１７，４５３，４６３，４７３，４８３  負極端子(端子)
【図１】
2013178965.tif 000003
【図２】
2013178965.tif 000004
【図３】
2013178965.tif 000005
【図４】
2013178965.tif 000006
【図５】
2013178965.tif 000007
【図６】
2013178965.tif 000008
【図７】
2013178965.tif 000009
【図８】
2013178965.tif 000010
【図９】
2013178965.tif 000011
【図１０】
2013178965.tif 000012
【図１１】
2013178965.tif 000013
【図１２】
2013178965.tif 000014
【図１３】
2013178965.tif 000015
【図１４】
2013178965.tif 000016
【図１５】
2013178965.tif 000017
【図１６】
2013178965.tif 000018
【図１７】
2013178965.tif 000019
【図１８】
2013178965.tif 000020
【図１９】
2013178965.tif 000021
【図２０】
2013178965.tif 000022
【図２１】
2013178965.tif 000023
【図２２】
2013178965.tif 000024
【図２３】
2013178965.tif 000025